(57)【要約】【課題】  本発明は、貴重印刷物の使用者、特に目の不自由な人を対象として、指で触る方向を限定せずに、指感性による識別が従来よりも容易な形状のホログラムを貼付して成る貴重印刷物に関する。【解決手段】  基材上の少なくとも一方の面の一部にホログラムが貼付された貴重印刷物であって、ホログラムの形状は、少なくとも４点の頂点を有し、少なくとも４点の頂点を画線で結んだ多角形の内角は、少なくとも一つの優角を有していることを特徴とする。【選択図】図１
2018116101.tif 000002
【特許請求の範囲】
【請求項１】
基材上の少なくとも一方の面の一部にホログラムが貼付された貴重印刷物であって、前記ホログラムの形状は、少なくとも４点の頂点を有し、前記少なくとも４点の頂点を画線で結んだ多角形の内角は、少なくとも一つの優角を有していることを特徴とする貴重印刷物。
【請求項２】
請求項１記載の前記貴重印刷物において、
前記基材と前記ホログラムを指で触れ、指感性により券種を識別することを特徴とする貴重印刷物の識別方法。
【発明の詳細な説明】
【技術分野】
【０００１】
本発明は、銀行券、有価証券、商品券、通行券、パスポート、カード等の貴重印刷物に関するものであり、使用者、特に目の不自由な人を対象として、指感性による形状の識別が従来よりも容易なホログラムを貼付して成る貴重印刷物である。
【背景技術】
【０００２】
貴重印刷物は、社会生活に必要不可欠な存在であり、使用に際しては、使用者や使用条件にかかわらず、券種の相違を容易に識別できることが求められている。そのため、貴重印刷物の製造及び発行に際しては、全ての利用者の使用に適した技術の検討、製造品への導入及び市中への提供が、使用者の側から常に求められている。
【０００３】
銀行券を例にとると、複数の券種が混在する財布の中から使用したい券種を取り出す動作において、仮に使用者が目の不自由な人であっても、他の使用者と同等に券種を識別できることが求められる。
【０００４】
目の不自由な人が視覚以外で活用可能な要素として、指感性は、特に重要な識別項目であり、銀行券の指感性が券種に応じて異なっていれば、銀行券の券種の識別を容易にすることができる。
【０００５】
日本銀行券の場合、使用者、特に目の不自由な人による識別方法の一つとして、ホログラムの指感性が活用されている。ホログラムが貼付された日本銀行券は、高額券の五千円券及び一万円券であり、使用者、特に目の不自由な人は、ホログラム表面の透明層の平滑な指感性を感じ取ることで、高額券を識別することができる。
【０００６】
現行の日本銀行券が発行されたのは、２００４年１１月１日からであり、発行当初、五千円券及び一万円券のホログラム及びホログラム表面の透明層は、いずれも楕円形であった。その後、指感性による券種の識別性を更に向上させるため、五千円券について、２０１４年５月１２日からホログラム表面の透明層の面積が約１．７倍に拡大されるとともに、ホログラム表面の透明層の形状が角の無い四角形に近似した形状に変更された経緯が開示されている（例えば、非特許文献１参照）。
【０００７】
また、指感性に関するホログラム形状の活用例については、一方の辺に弓型の曲線を有し、対向する辺に三角を成す切れ込みを有するスレッド型のホログラムの形状が開示されている（例えば、特許文献１参照）。
【先行技術文献】
【非特許文献】
【０００８】
【非特許文献１】平成２６年版  障害者白書  第７章第２節３．（４）日本銀行券の券種の識別性向上に向けた取組
【特許文献】
【０００９】
【特許文献１】特表２００６−５１７１５９号公報
【発明の概要】
【発明が解決しようとする課題】
【００１０】
非特許文献１により開示されている技術は、券面上の面積が比較的大きく、接触の頻度の多いホログラムに指感性による識別要素が付加されたため、使用者、特に目の不自由な人による五千円券と一万円券の識別は、発行当初よりも容易になったが、使用者の側からは、より容易な識別技術が常に求められており、日本銀行券の製造及び発行に際しては、関連技術を継続して検討する必要がある。
【００１１】
また、特許文献１により開示されている技術は、使用者、特に目の不自由な人が、対向する両側部の異なる形状を交互に確認することで、貴重印刷物に貼付されたホログラムを指感性で容易に識別できると考えられるが、使用者、特に目の不自由な人が片方の側部のみ確認する場合、異なる形状の相互の確認ができないと考えられるなど、ホログラムの形状を確認する条件、特に指で触る方向によっては、指感性による形状の把握に差が生じる可能性がある。
【００１２】
非特許文献１及び特許文献１の問題点のため、貴重印刷物の使用者、特に目の不自由な人において、指で触る方向を限定せずに、指感性による券種の識別がより容易な特徴が求められている。
【００１３】
本発明は、前述の課題の解決を目的としたものであり、貴重印刷物の使用者、特に目の不自由な人を対象として、指で触る方向を限定せずに、指感性によるホログラムの形状の識別が、識別する方向を限定せずに容易なホログラムを貼付して成る貴重印刷物を提案する。
【課題を解決するための手段】
【００１４】
基材上の少なくとも一方の面の一部にホログラムが貼付された貴重印刷物であって、ホログラムの形状は、少なくとも４点の頂点を有し、少なくとも４点の頂点を画線で結んだ多角形の内角は、少なくとも一つの優角を有していることを特徴とする。
【００１５】
貴重印刷物の識別方法において、基材とホログラムを指で触れ、指感性により券種を識別することを特徴とする。
【発明の効果】
【００１６】
本発明の貴重印刷物は、識別機能を有するホログラムを貼付して成るので、貴重印刷物の使用者、特に目の不自由な人は、指で触る方向を限定せずに、指感性によるホログラムの形状の識別を通じて、貴重印刷物の券種を従来よりも容易に識別できる。
【図面の簡単な説明】
【００１７】
【図１】本発明における貴重印刷物の一例を示す図である。
【図２】従来のホログラムの形状の一例を示す図である。
【図３】従来のホログラムの形状の指感性を示す図である。
【図４】本発明におけるホログラムの形状の一例を示す図である。
【図５】本発明におけるホログラムの形状の指感性を示す図である。
【図６】本発明における貴重印刷物の一例を示す図である。
【発明を実施するための形態】
【００１８】
本発明を実施するための形態について、図面を参照して説明する。しかしながら、本発明は、以下に述べる形態に限定されるものではなく、特許請求の範囲記載における技術的思想の範囲内であれば、その他の色々な実施の形態が含まれる。
【００１９】
図１は、本発明における貴重印刷物（１）の一例を示す。貴重印刷物（１）は、基材（２）上の少なくとも一方の面の一部に、ホログラム（３）が貼付されて成る。なお、ホログラム（３）と同じ面に、料額、図柄、模様等の各種印刷模様（４）を配置してもよい。
【００２０】
本発明におけるホログラム（３）は、光源や観察する角度に応じて色彩や図柄、動きなどが変化する薄膜であれば、公知の光学的薄膜、例えば、光の干渉パターンを記録したホログラム、微細な凹凸構造で光の回折を行う回折格子、屈折率の異なる複数の層による多層干渉を用いた光学的薄膜等、特に限定なく使用できる。なお、公知の光学的薄膜は、貴重印刷物（１）の用途を考慮して、偽造防止効果や装飾効果を有していると好ましい。また、公知の光学的薄膜の表面に透明層が積層している場合は、透明層も本発明のホログラム（３）に含まれる。このとき、透明層の形状及び面積は、公知の光学的薄膜と異なっていてもよい。
【００２１】
本発明におけるホログラム（３）は、基材（２）と密着した状態で一体化している。ホログラム（３）の貼付方法は、公知の技術、例えば、箔押し、熱圧着による加熱転写、シールとしての接着等、特に限定はない。
【００２２】
指感性とは、対象物を指で触ることで得られる表面の平滑性、立体的な凹凸、粗密、硬軟、弾性、熱伝導性、粘性等の感覚であるが、本発明における「指感性」とは、「基材（２）、ホログラム（３）及び各種印刷模様（４）における表面の平滑性」をいう。
【００２３】
本発明におけるホログラム（３）の位置及び寸法は、貴重印刷物（１）の使用を妨げない範囲で適宜設定する。例えば、ホログラム（３）の位置は、貴重印刷物（１）の大きさ、形状、厚み等を考慮して、指で挟む等の動作で容易に発見できる上下左右の端部が好ましい。また、ホログラム（３）の寸法は、指で触る等の動作でホログラム（３）の指感性を識別可能で、かつ、各種印刷模様（４）の形状、配置及び視覚効果を妨げなければ特に限定しないが、上下方向に３０ｍｍ以内、左右方向に３０ｍｍ以内の寸法であるのが好ましい。
【００２４】
比較のため、従来のホログラム（３００）の形状を図２及び図３で説明するとともに、本発明におけるホログラム（３）の形状を図４及び図５で説明する。ここで、本発明におけるホログラムの形状は、いずれも重心（Ｘ）から任意の距離に位置する複数の頂点（Ｔ）を有している。また、本発明における「頂点（Ｔ）」とは、ホログラムの形状が有する全ての頂点の総称であり、個々の頂点については、後述する個別の符号で示す。
【００２５】
図２は、従来のホログラム（３００）の形状の一例である。ここで、図２（ａ）は、３点の頂点（α、α’、α’’）を有する三角形のホログラム（３００ａ）、図２（ｂ）は、４点の頂点（α、α’、α’’、α’’’）を有する四角形のホログラム（３００ｂ）、図２（ｃ）は、円形の無数の頂点（Ｔ）の集合の中から選択した３点の頂点（α、α’、α’’）を有する円形のホログラム（３００ｃ）を示す。
【００２６】
図２（ａ）、（ｂ）及び（ｃ）に示すホログラム（３００ａ、３００ｂ、３００ｃ）の形状は、いずれも重心（Ｘ）から任意の距離に位置する少なくとも３点の頂点（Ｔ）を有している。なお、図２（ｃ）のような無数の頂点（Ｔ）の集合による形状のホログラムは、任意の異なる頂点（Ｔ’）を少なくとも３点選択して、選択した任意の異なる頂点（Ｔ’）を画線で結んでいる。ここで、本発明における「任意の異なる頂点（Ｔ’）」とは、複数の頂点（Ｔ）から選択した任意の異なる頂点の総称である。
【００２７】
図２（ａ）及び（ｂ）における頂点（Ｔ）を画線で結んだ多角形、並びに図２（ｃ）における任意の異なる頂点（Ｔ’）を画線で結んだ多角形において、隣り合う３点の頂点（α’、α、α’’）を画線によって接続して得られる内角（θ１）は、劣角を示している。なお、本発明における「劣角」とは、下記式（１）を示す。
【００２８】
【数１】
2018116101.tif 000003
【００２９】
図２（ａ）及び（ｂ）に示すように、従来のホログラム（３００）の形状は、頂点（Ｔ）を画線で結んだ多角形において、全ての内角（θ１）が劣角を示している。また、図２（ｃ）のような無数の頂点（Ｔ）の集合による形状は、少なくとも３点の任意の異なる頂点（Ｔ’）を選択し、選択した任意の異なる頂点（Ｔ’）を画線で結んだ多角形において、全ての内角（θ１）が劣角を示している。
【００３０】
図３は、従来のホログラム（３００）の一例として、図２（ａ）のホログラム（３００ａ）の形状の指感性を示す図である。ここで、ホログラム（３００ａ）の指感性は、１点の頂点（α）と、隣り合う頂点（α’、α’’）との間を、ａ−ａ’方向に指で触って識別する。
【００３１】
図３において、従来のホログラム（３００ａ）の形状の使用者、特に目の不自由な人は、ａ−ａ’方向において、ホログラム（３００ａ）と図示しない基材（２）との境界で指感性の異なる箇所（Ｂ）を２か所感じ取ることで、図３の形状のホログラム（３００ａ）を貼付して成る貴重印刷物と他の券種とを識別する。
【００３２】
図４は、本発明におけるホログラム（３）の形状の一例である。ここで、図４（ａ）は、４点の頂点（α、α’、α’’、β）を有するホログラム（３ａ）、図４（ｂ）は、５点の頂点（α、α’、α’’、α’’’、β）を有するホログラム（３ｂ）、図４（ｃ）は、無数の頂点の集合の中から選択した６点の頂点（α、α’、α’’、α’’’、α’’’’、β）を有するホログラム（３ｃ）を示す。
【００３３】
図４（ａ）、（ｂ）及び（ｃ）に示すホログラム（３ａ、３ｂ、３ｃ）の形状は、いずれも重心（Ｘ）から任意の距離に位置する少なくとも４点の頂点（Ｔ）を有している。なお、図４（ｃ）のような無数の頂点（Ｔ）の集合による形状のホログラムは、任意の異なる頂点（Ｔ’）を少なくとも４点選択して、選択した任意の異なる頂点（Ｔ’）を画線で結んでいる。
【００３４】
図４（ａ）及び（ｂ）における全ての頂点（Ｔ）を画線で結んだ多角形、並びに図４（ｃ）における任意の異なる頂点（Ｔ’）を画線で結んだ多角形において、隣り合う３点の頂点（α、β、α’’）を画線によって接続して得られる内角（θ２）は、優角を示している。なお、本発明における「優角」とは、下記式（２）を示す。加えて、重心（Ｘ）から頂点（β）までの距離（ｌ）と、重心（Ｘ）から頂点（α）までの距離（Ｌ）及び頂点（α’）までの距離（Ｌ’）との間には、下記式（３）及び（４）の関係が成り立つ。
【００３５】
【数２】
2018116101.tif 000004
【００３６】
【数３】
2018116101.tif 000005
【００３７】
【数４】
2018116101.tif 000006
【００３８】
図４（ａ）及び（ｂ）に示すように、本発明におけるホログラム（３）の形状は、頂点（Ｔ）を画線で結んだ多角形において、優角を示す内角（θ２）が少なくとも一つ形成されている。また、図４（ｃ）のような無数の頂点（Ｔ）の集合による形状のホログラムは、ホログラムの形状の内部に、優角を示す内角（θ２）を少なくとも一つ有している多角形が存在する。
【００３９】
図５は、本発明におけるホログラム（３）の一例として、図４（ａ）のホログラム（３ａ）の形状の指感性を示す図である。ここで、ホログラム（３ａ）の指感性は、１点の頂点（β）と、１点の頂点（β）に隣り合う頂点（α、α’）との間をＡ−Ａ’方向に指で触って識別する。なお、本発明における「Ａ−Ａ’方向」は、ホログラム（３ａ）の形状に対して、図５（ａ）に示す水平な直線方向の他に、図５（ｂ）に示す水平以外の直線方向や、図５（ｃ）に示す円弧状の曲線方向を含めた様々な方向が含まれる。
【００４０】
図５において、本発明におけるホログラム（３ａ）の形状の使用者、特に目の不自由な人は、Ａ−Ａ’方向において、ホログラム（３ａ）と図示しない基材（２）との境界で指感性の異なる箇所（Ｂ）を４か所感じ取ることで、図４の形状のホログラム（３ａ）を貼付して成る貴重印刷物と他の券種とを識別する。
【００４１】
本発明の貴重印刷物（１）の効果について、図６で説明する。なお、本発明における「貴重印刷物（１）」とは、複数の券種の総称であり、個々の券種については、後述する個別の符号で示す。
【００４２】
図６は、貴重印刷物（１）の一例を示す。ここで、３券種の貴重印刷物（１−１ａ、１−１ｂ、１−１ｃ）は、図６（ａ）では、優角を示す内角（θ２）を一つ有するホログラム（３−１ａ）、図６（ｂ）では、優角を示す内角（θ２）を二つ有するホログラム（３−１ｂ）、図６（ｃ）では、優角を示す内角（θ２）を三つ有するホログラム（３−１ｃ）が、各々の基材（２−１ａ、２−１ｂ、２−１ｃ）に貼付されて成る。なお、貴重印刷物（１）の券種は、ホログラムと同じ面に各種印刷模様（４−１ａ、４−１ｂ、４−１ｃ）で表記してもよい。
【００４３】
図６に示す貴重印刷物（１−１ａ、１−１ｂ、１−１ｃ）の使用者、特に目の不自由な人は、ホログラム（３−１ａ、３−１ｂ、３−１ｃ）をＡ−Ａ’方向に指でなぞることで、図６（ａ）では、優角が一つであることから指感性の異なる箇所（Ｂ）が４か所、図６（ｂ）では、優角が二つであることから指感性の異なる箇所（Ｂ）が６か所、図６（ｃ）では、優角が三つであることから指感性の異なる箇所（Ｂ）が８か所感じ取ることができる。したがって、指感性を活用したホログラム（３−１ａ、３−１ｂ、３−１ｃ）の形状の識別を通じて、貴重印刷物（１−１ａ、１−１ｂ、１−１ｃ）の券種を識別できる。なお、説明の便宜上、図６におけるＡ−Ａ’方向は、水平な直線方向に統一されており、ホログラム（３−１ａ、３−１ｂ、３−１ｃ）の形状における指感性の異なる箇所（Ｂ）は、全てＡ−Ａ’方向に配列しているが、指感性を活用したホログラム（３）の形状の識別が可能であれば、特に限定しない。
【００４４】
図６に示すように、本発明の貴重印刷物（１）は、各々の券種の基材（２）に識別機能を有するホログラム（３）が貼付されて成る。したがって、指感性を活用したホログラム（３）の形状の識別を通じて、貴重印刷物（１）の券種を容易に識別できる。
【００４５】
本発明の貴重印刷物（１）における指感性の異なる箇所（Ｂ）について、隣り合って存在している指感性の異なる箇所（Ｂ）は、本発明の貴重印刷物（１）の使用者の二点弁別閾よりも離れて存在している。なお、本発明における「二点弁別閾」とは、「同時又は連続して接触する二点を個別の刺激として識別可能な最小の距離」であり、指先の場合、同時に接触する二点が２ｍｍ、連続して接触する二点が１．５ｍｍである。
【００４６】
図６（ａ）を例にとると、ホログラム（３−１ａ）のＡ−Ａ’方向の寸法が３０ｍｍの場合、ホログラム（３−１ａ）が有している４か所の指感性の異なる箇所（Ｂ）の間隔は、全ての間隔の合計が３０ｍｍ以内であり、かつ、隣り合って存在する指感性の異なる箇所（Ｂ）が１．５ｍｍ以上の間隔を有しているのが好ましい。
【符号の説明】
【００４７】
１、１−１ａ、１−２ｂ、１−３ｃ  貴重印刷物
２、２−１ａ、２−２ｂ、２−３ｃ  基材
３、３ａ、３ｂ、３ｃ、３−１ａ、３−１ｂ、３−１ｃ、３００、３００ａ、３００ｂ、３００ｃ  ホログラム
４、４−１ａ、４−１ｂ、４−１ｃ  各種印刷模様
Ｘ  重心
Ｔ、Ｔ’、α、α’、α’’、α’’’、α’’’’、β  頂点
θ１  劣角を示す内角
θ２  優角を示す内角
ｌ  Ｘ−β間の距離
Ｌ  Ｘ−α間の距離
Ｌ’  Ｘ−α’間の距離
Ｂ  指感性の異なる箇所
【図１】
2018116101.tif 000007
【図２】
2018116101.tif 000008
【図３】
2018116101.tif 000009
【図４】
2018116101.tif 000010
【図５】
2018116101.tif 000011
【図６】
2018116101.tif 000012